(57)【要約】【課題】この発明は、適合レベルの顔画像を容易且つ確実に個人差なく取得できるＩＤカード更新システムを提供することを課題とする。【解決手段】免許証更新システム１は、免許証の所有者を撮影するカメラ２、撮影した顔画像等を表示するモニタ３、前回更新時に免許証に記録した記載データを免許証番号に関連付けて記憶したホストサーバ４、前回更新時に撮影した所有者の顔画像データを格納したファイリングサーバ５、免許証のＩＣチップに記憶されている顔画像データおよび記載データを読み取る読取部６、カメラ２で撮影した顔画像およびホストサーバ４から抽出した記載データを印刷するとともにＩＣチップに記憶して新たな運転免許証を作成する免許証作成部７、およびパーソナルコンピュータ８を有する。ＰＣ８は、読取部６で更新前の免許証のＩＣチップから読み取った免許証番号に基づいてファイリングサーバ５から前回更新時の顔画像データを抽出し、この顔画像データとカメラ２で撮影した顔画像を照合する。【選択図】      図１
2005258769.tif 000002
【特許請求の範囲】
【請求項１】
更新前のＩＤカードに記録されている個人データを読み取る読取部と、
この読取部で個人データを読み取ったＩＤカードの所有者の顔画像を撮影する撮影部と、
この撮影部で撮影した顔画像と上記読取部で読み取った個人データに含まれる当該所有者の更新前の顔画像データとを照合し、この照合結果に基づいて、上記撮影した顔画像がＩＤカード用として適合しているか否かを判断する判断部と、
この判断部で適合しているものと判断された顔画像を用いて当該所有者の個人データを更新記録した新たなＩＤカードを作成するカード作成部と、
を有することを特徴とするＩＤカード更新システム。
【請求項２】
上記判断部は、上記読取部で読み取った更新前の顔画像データを基準にして、上記撮影部で撮影した顔画像の目が開いているか否かを判断し、目が開いていると判断した顔画像をＩＤカード用顔画像として適合しているものと判断することを特徴とする請求項１に記載のＩＤカード更新システム。
【請求項３】
発行済の全てのＩＤカードに記録した個人データを記憶したデータベースをさらに有し、
上記判断部は、上記読取部でＩＤカードから読み取った更新前の個人データを上記データベースに記憶されている個人データと照合し、照合の結果、当該個人データが一致したことを条件に、当該個人データに含まれる顔画像データと上記撮影部で撮影した顔画像とを照合することを特徴とする請求項１に記載のＩＤカード更新システム。
【請求項４】
上記カード作成部は、ＩＤカードの上記ＩＣチップに更新後の個人データを記録することを特徴とする請求項１に記載のＩＤカード更新システム。
【請求項５】
発行済の全てのＩＤカードに記録した個人データを記憶したデータベースと、
更新を希望するＩＤカードの所有者の顔画像を撮影する撮影部と、
この撮影部で撮影した顔画像と当該所有者が所有しているＩＤカードの発行時に上記データベースに記憶した当該ＩＤカードの個人データに含まれる顔画像データとを照合し、この照合結果に基づいて、上記撮影した顔画像がＩＤカード用として適合しているか否かを判断する判断部と、
この判断部で適合しているものと判断された顔画像を用いて当該所有者の個人データを更新記録した新たなＩＤカードを作成するカード作成部と、
を有することを特徴とするＩＤカード更新システム。
【請求項６】
ＩＤカードを特定するための認証データを入力する入力部をさらに有し、
上記判断部は、上記入力部を介して入力された認証データに基づいて上記データベースを検索して当該ＩＤカードの発行時の個人データを抽出し、抽出した個人データに含まれる顔画像データと上記撮影部で撮影した当該ＩＤカードの所有者の顔画像とを照合し、この照合結果に基づいて、上記撮影した顔画像がＩＤカード用として適合しているか否かを判断することを特徴とする請求項５に記載のＩＤカード更新システム。
【請求項７】
上記判断部は、上記データベースに記憶した当該ＩＤカードの個人データに含まれる更新前の顔画像データを基準にして、上記撮影部で撮影した顔画像の目が開いているか否かを判断し、目が開いていると判断した顔画像をＩＤカード用として適合しているものと判断することを特徴とする請求項５に記載のＩＤカード更新システム。
【発明の詳細な説明】
【技術分野】
【０００１】
この発明は、運転免許証などのＩＤカードを更新するＩＤカード更新システムに関する。
【背景技術】
【０００２】
従来、運転免許証に印刷する顔画像を撮影する装置として、撮影した被撮影者の顔画像から瞳を検出し、２つの瞳が検出されない場合、すなわち目が閉じている画像を撮影してしまった場合、或いは２つの瞳が検出できても予め用意した瞳の標本データと照合したとき照合レベルが閾値より低かった場合に撮影不良を判断して顔画像の撮影をリトライするようにした顔画像撮影装置が知られている（例えば、特許文献１参照。）。
【０００３】
しかし、顔の形や目の形は千差万別であり、人によっては目をしっかり開けているにも拘わらず、運転免許証の更新のために顔画像を撮影する度に撮影不良となり、顔画像の自動撮影ができない場合があった。
【特許文献１】特開２０００−２９２８５３号公報（段落［００３０］〜［００３４］、図４）
【発明の開示】
【発明が解決しようとする課題】
【０００４】
この発明の目的は、適合レベルの顔画像を容易且つ確実に個人差なく取得できるＩＤカード更新システムを提供することにある。
【課題を解決するための手段】
【０００５】
上記目的を達成するため、本発明のＩＤカード更新システムは、更新前のＩＤカードに記録されている個人データを読み取る読取部と、この読取部で個人データを読み取ったＩＤカードの所有者の顔画像を撮影する撮影部と、この撮影部で撮影した顔画像と上記読取部で読み取った個人データに含まれる当該所有者の更新前の顔画像データとを照合し、この照合結果に基づいて、上記撮影した顔画像がＩＤカード用として適合しているか否かを判断する判断部と、この判断部で適合しているものと判断された顔画像を用いて当該所有者の個人データを更新記録した新たなＩＤカードを作成するカード作成部と、を有することを特徴とする。
【０００６】
また、本発明のＩＤカード更新システムは、発行済の全てのＩＤカードに記録した個人データを記憶したデータベースと、更新を希望するＩＤカードの所有者の顔画像を撮影する撮影部と、この撮影部で撮影した顔画像と当該所有者が所有しているＩＤカードの発行時に上記データベースに記憶した当該ＩＤカードの個人データに含まれる顔画像データとを照合し、この照合結果に基づいて、上記撮影した顔画像がＩＤカード用として適合しているか否かを判断する判断部と、この判断部で適合しているものと判断された顔画像を用いて当該所有者の個人データを更新記録した新たなＩＤカードを作成するカード作成部と、を有することを特徴とする。
【０００７】
上記発明によると、更新前の顔画像データと撮影した顔画像を照合して、撮影した顔画像がＩＤカード用として適合しているか否かを判断するようにしたため、照合の基準となる顔画像データとしてＩＤカード発行時の顔画像データを利用することができ、前回更新時にＩＤカード用として適合した顔画像に基づく判断ができる。このため、例えば、目を開いているにもかかわらず目をつぶっているものとして判断されがちな人であっても、撮影した顔画像の目が開いているかどうかを前回更新時に目が開いているものとして免許証用として適合した顔画像データを用いて個人レベルで判断できるため、目を開いていることの判断をより確実に且つ容易にでき、判断基準を与えるための辞書が不要となる。
【発明の効果】
【０００８】
この発明のＩＤカード更新システムは、上記のような構成および作用を有しているので、適合レベルの顔画像を容易且つ確実に個人差なく取得できる。
【発明を実施するための最良の形態】
【０００９】
以下、図面を参照しながらこの発明の実施の形態について詳細に説明する。  
図１には、この発明の実施の形態に係るＩＤカード更新システムとして、運転免許証を更新するための免許証更新システム１（以下、単にシステム１と称する）の概略構成をブロック図にして例示してある。
【００１０】
システム１は、運転免許証（ＩＤカード）の更新を予定している所有者Ｐの顔画像を撮影するためのカメラ２（撮影部）、カメラ２で撮影した顔画像、運転免許証に埋め込まれたＩＣチップから読み取った前回更新時の顔画像データやその他住所や氏名などの記載データ、データベースから抽出した各種データなどを表示するための画像表示モニタ３、発行済の運転免許証に印刷した住所や氏名などの記載データを免許証番号（認証データ）に関連付けて記憶したホストサーバ４、前回更新時に撮影した全ての所有者の顔画像データを上記免許証番号に関連付けて記憶したファイリングサーバ５、運転免許証のＩＣチップに記録されている上記免許証番号、記載データ、顔画像データなどを読み取る読取部６、運転免許証を更新する所有者の顔画像、氏名、住所などを運転免許証の表面に印刷するとともに、運転免許証に埋め込まれたＩＣチップに所有者の顔画像データ、免許証番号、住所や氏名などの記載データなどを更新記録して新たな運転免許証を作成する免許証作成部７（カード作成部）、および、上述したカメラ２、画像表示モニタ３、ホストサーバ４、ファイリングサーバ５、読取部６、および免許証作成部７を接続した本発明の判断部として機能するパーソナルコンピュータ（ＰＣ）８を有する。
【００１１】
上述したホストサーバ４およびファイリングサーバ５は、発行済の運転免許証に記載しているとともにＩＣチップに記録している記載データや顔画像データなどの個人データを記憶する本発明のデータベースとして機能する。また、ここでは図示していないが、読取部６の代りに、或いは読取部６に加えて、オペレータによるキーボード操作によって免許証番号を入力するための入力部をＰＣ８に接続しても良い。
【００１２】
図２には、上記システム１による運転免許証の更新処理動作を説明するためのフローチャートを示してある。  
運転免許証を更新する場合、まず、ＰＣ８は、ステップ１に示すように、オペレータによって更新前の運転免許証が読取部６にセットされたか否かを判断する。更新前の運転免許証が読取部６にセットされると（ステップ１；ＹＥＳ）、ＰＣ８は、ステップ２に示すように、読取部６を介して当該運転免許証のＩＣチップから個人データを読み出す。読み出した個人データは、画像表示モニタ３を介して表示される。ここで言う個人データには、当該運転免許証の免許証番号、前回更新時の所有者の顔画像データ、および所有者の氏名や住所などの記載データが含まれる。特に、ステップ２で運転免許証から読み取った顔画像データは、前回更新時に運転免許証用として適合したものである。
【００１３】
この後、ＰＣ８は、ステップ２で読み取った免許証番号に基づいてファイリングサーバ５を検索し、ステップ３に示すように、該当運転免許証の所有者の前回更新時の顔画像データを抽出する。ファイリングサーバ５から抽出した顔画像データも、画像表示モニタ３を介して表示される。この顔画像データも、前回更新時に運転免許証用の顔画像として適合しているものである。そして、ＰＣ８は、ステップ２で当該運転免許証から読み取った顔画像データとステップ３でファイリングサーバ５から抽出した顔画像データを周知の顔照合技術を用いて照合し、ステップ４で示すように、顔画像データが一致しているか否かを判断する。このように、運転免許証から読み取った顔画像データとファイリングサーバ５から抽出した顔画像データを照合することにより、運転免許証が偽造されたものか否かを判断できる。
【００１４】
また、このとき、ＰＣ８は、ステップ２で読み取った免許証番号に基づいてホストサーバ４を検索し、ステップ５に示すように、当該運転免許証の前回更新時の記載データを抽出する。この記載データも画像表示モニタ３を介して表示される。そして、ＰＣ８は、ステップ２で当該運転免許証から読み取った記載データとステップ５でホストサーバ４から抽出した記載データを照合し、ステップ６で示すように、記載データが一致しているか否かを判断する。
【００１５】
ステップ４で顔画像データが一致し且つステップ６で記載データが一致していることをＰＣ８が判断し（ステップ４；ＹＥＳ、ステップ６；ＹＥＳ）、当該運転免許証の更新のための所有者の顔画像の撮影が許可されると、ＰＣ８は、ステップ７に示すように、カメラ２によって所有者の顔画像を撮影する。
【００１６】
一方、ステップ４で顔画像データ一致しないことをＰＣ８が判断した場合（ステップ４；ＮＯ）、或いはステップ６で記載データが一致しないことをＰＣ８が判断した場合（ステップ６；ＮＯ）、ＰＣ８は、当該運転免許証の個人データの改ざん等の異常を判断し、ステップ８に示すようにエラー処理をする。
【００１７】
ステップ７の撮影では、ＰＣ８は、ある一定時間分の撮影データ（例えば、撮影データを０．５秒間隔で数コマ分の画像を記録）を常時書換え記録し、オペレータが撮影のトリガー、すなわちシャッターを押したときの顔画像を含む手前５コマ分の顔画像を使用する。そして、ステップ１０およびステップ１１に示すように、ＰＣ８は、ステップ４で照合一致した顔画像データから読み取った目の情報を基準にして、ステップ７でシャッターを押した直後の１コマ目の顔画像の目が開いているか否かを判断する。
【００１８】
この際、判断の基準となる照合一致した顔画像データは、当該運転免許証の所有者が前回更新時に撮影し且つ目が開いているものとして運転免許証用として適合した本人の顔画像データであるため、目をつぶっていると判断されがちな人であっても本人の目の情報に基づく判断ができるため、目を開けていることを高い確率で確実且つ容易に判断できる。これにより、従来のシステムで常に目をつぶっていることを判断されて運転免許証の自動更新ができなかった人であっても、高い確立で運転免許証の自動更新が可能となる。
【００１９】
上記のように１コマ目の顔画像を基準データと照合した結果、照合不一致、すなわち目を閉じていることをＰＣ８が判断した場合（ステップ１１；ＹＥＳ）、１つ手前の２コマ目の顔画像をステップ１０、１１に示すように基準データと照合する。そして、ステップ７で用意した５コマ分の顔画像すべてを基準データと照合し、５コマ全ての顔画像で基準データと不一致であることをＰＣ８が判断した場合（ステップ９；ＮＯ）、照合不一致であった１コマ目の顔画像を画像表示モニタ３を介して表示するとともに、ステップ１２に示すように、照合不一致であったことの警告を表示する。このとき、１コマ目の顔画像がシャッターを押した直後の画像であるため、この１コマ目の顔画像を目を開いている可能性が一番高いものとして表示するようにした。
【００２０】
一方、ステップ１１で撮影した顔画像の目が開いていることを判断すると（ステップ１１；ＮＯ）、ＰＣ８は、ステップ１３に示すように、目を開いていることを判断した顔画像のデータとともにステップ６で照合一致した記載データを免許証作成部７へ送る。免許証作成部７では、ＰＣ８から送られた顔画像および記載データを免許証の表面に印刷するとともに、顔画像データと記載データをＩＣチップに更新記録し、新たな運転免許証を発行する。
【００２１】
そして、ＰＣ８は、更新処理予定の運転免許証が無くなるまで（ステップ１４；ＮＯ）、ステップ１〜ステップ１３の更新処理を続行し、更新処理をする運転免許証が無くなった時点で処理を終了する。
【００２２】
以上のように、本実施の形態によると、読取部６にて更新前の運転免許証のＩＣチップから免許証番号を読み取ってファイリングサーバ５にある前回更新時の本人の顔画像データを抽出し、この顔画像データを基準にしてカメラ２で撮影した本人の顔画像を照合し、目を開いているか否かを判断するようにした。このように、前回更新時に免許証用として適合した本人の顔画像データを基準にして撮影した顔画像の目が開いているか否かを判断するようにしたため、しっかり目を開いているにも拘らず目を閉じているものとして判断されがちな人であっても、従来のように全ての人に対応可能な辞書を用いて目を開いていることを判断する場合と比較して、目を開いていることを高い確立で容易且つ確実に判断できる。
【００２３】
また、本実施の形態によると、読取部６を介して更新前の運転免許証のＩＣチップから免許証番号を読み出して前回更新時の顔画像データを抽出するようにしたため、従来のようにＯＣＲを用いて免許証番号を読み取る必要がなく、システム全体としてのコストを低減できる。なお、読取部６の代わりに入力部を用いて免許証番号を入力することもできるが、この場合、入力した免許証番号に基づいてＰＣ８がファイリングサーバ５を検索して顔画像データを抽出することになる。
【００２４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２５】
例えば、上述した実施の形態では、本発明を運転免許証の更新システムに採用した場合について説明したが、これに限らず、社員証など顔画像を定期的に更新して印刷する必要のある他のＩＤカードの更新システムに本発明を適用しても良い。
【００２６】
また、上述した実施の形態では、目をつぶっているか否かを判断するための辞書を用いずに前回更新時に撮影した本人の顔画像を利用するようにしたが、これに限らず、従来の辞書を用いて目を開いているか否かを判断した上で本願発明のように本人の顔画像に基づく判断を加えるようにしても良い。
【図面の簡単な説明】
【００２７】
【図１】この発明の実施の形態に係る免許証更新システムの概略構成を示すブロック図。
【図２】図１のシステムによる更新処理動作を説明するためのフローチャート。
【符号の説明】
【００２８】
１…免許証更新システム、２…カメラ、３…画像表示モニタ、４…ホストサーバ、５…ファイリングサーバ、６…読取部、７…免許証作成部、８…パーソナルコンピュータ。
【図１】
2005258769.tif 000003
【図２】
2005258769.tif 000004